(57)【要約】【課題】夜間運転における普通型コンバインの作業性をさらに向上させること。【解決手段】右及び左のデバイダ３３ａ，３３ｂと、作物を掻き込むリール１６と、作物の株元を切断する刈取装置と、刈り取られた作物をフィーダ６の入口６ａに集めるオーガとを備えて刈取部７を構成し、刈取部７をフィーダ６を介して機体の前部に支持して、オーガにより集められた作物が、フィーダ６の入口６ａに送り込まれ、フィーダ６により脱穀装置３に搬送されるように構成した普通型コンバインにおいて、フィーダ６の右又は左の横側に運転部を備え、運転部を覆うキャビン又はキャノピー２８を備えて、フィーダ６の入口６ａを照らす照明装置４０ａ，４０ｂを、キャビンの天井部の前部又はキャノピー２８の前部に備えてある。【選択図】図３
2011062120.tif 000002
【特許請求の範囲】
【請求項１】
右及び左のデバイダと、作物を掻き込むリールと、作物の株元を切断する刈取装置と、刈り取られた作物をフィーダの入口に集めるオーガとを備えて刈取部を構成し、
前記刈取部を前記フィーダを介して機体の前部に支持して、前記オーガにより集められた作物が、前記フィーダの入口に送り込まれ、前記フィーダにより脱穀装置に搬送されるように構成した普通型コンバインにおいて、
前記フィーダの右又は左の横側に運転部を備え、前記運転部を覆うキャビン又はキャノピーを備えて、
前記フィーダの入口を照らす照明装置を、前記キャビンの天井部の前部又は前記キャノピーの前部に備えてある普通型コンバイン。
【請求項２】
前記照明装置が、前記フィーダ側のデバイダを照らすように構成してある請求項１に記載の普通型コンバイン。
【請求項３】
前記照明装置が、前記運転部側のデバイダを照らすように構成してある請求項１又は２に記載の普通型コンバイン。
【請求項４】
前記照明装置が、前記リールの前方を照らすように構成してある請求項１〜３のうちのいずれか１つに記載の普通型コンバイン。
【請求項５】
前記照明装置が、前記刈取部における運転部側のデバイダの横外側を照らすように構成してある請求項１〜４のうちのいずれか１つに記載の普通型コンバイン。
【請求項６】
前記照明装置が、機体の右側及び左側を照らすように構成してある請求項１〜５のうちのいずれか１つに記載の普通型コンバイン。
【請求項７】
前記照明装置が複数の作業灯を備えて構成される請求項１〜６のうちのいずれか１つに記載の普通型コンバイン。
【請求項８】
機体の全周囲を照射する周囲照明装置を、前記キャビンの天井部の上部又は前記キャノピーの上部に備えてある請求項１〜７のうちのいずれか１つに記載の普通型コンバイン。
【請求項９】
前記周囲照明装置が、機体の後方に紫外線を照射し、機体の後方以外の方向に可視光線を照らすように構成してある請求項８に記載の普通型コンバイン。
【発明の詳細な説明】
【技術分野】
【０００１】
本発明は、右及び左のデバイダと、作物を掻き込むリールと、作物の株元を切断する刈取装置と、刈り取られた作物をフィーダの入口に集めるオーガとを備えて刈取部を構成し、前記刈取部を前記フィーダを介して機体の前部に支持して、前記オーガにより集められた作物が、前記フィーダの入口に送り込まれ、前記フィーダにより脱穀装置に搬送されるように構成した普通型コンバインに関する。
【背景技術】
【０００２】
タイやインド等のアジアの熱帯地域で使用されるコンバインは普通型コンバインが主流であり、このようなアジアの熱帯地域では、稼働効率を高めるために昼間だけでなく夜間もコンバインを運転することがある。
このような地域で使用されるコンバインには、運転席、キャビンの本体、又はアンローダ等に照明装置が設けられており、涼しい薄暮や夜間において、機体前方の刈取部の作業域とその周辺とを照明装置で照らしながら刈取作業が実施される（例えば、特許文献１参照）。
【先行技術文献】
【特許文献】
【０００３】
【特許文献１】特開２００４−３１３１１８号公報
【発明の概要】
【発明が解決しようとする課題】
【０００４】
上記従来型の普通型コンバインの照明装置は、単に前方を照らすものであり、また照射範囲もそれほど広い範囲ではないので、夜間作業をより効率的に実施するという点において改善する余地があった。
【０００５】
本発明の目的は、夜間における普通型コンバインの刈取作業の効率化を図ることにある。
【課題を解決するための手段】
【０００６】
本発明に係る第１特徴構成は、
右及び左のデバイダと、作物を掻き込むリールと、作物の株元を切断する刈取装置と、刈り取られた作物をフィーダの入口に集めるオーガとを備えて刈取部を構成し、
前記刈取部を前記フィーダを介して機体の前部に支持して、前記オーガにより集められた作物が、前記フィーダの入口に送り込まれ、前記フィーダにより脱穀装置に搬送されるように構成した普通型コンバインにおいて、
前記フィーダの右又は左の横側に運転部を備え、前記運転部を覆うキャビン又はキャノピーを備えて、
前記フィーダの入口を照らす照明装置を、前記キャビンの天井部の前部又は前記キャノピーの前部に備えてある点にある。
【０００７】
〔作用及び効果〕
普通型コンバインでは、幅広の刈取部で刈り取られた作物が、オーガより集められてフィーダの入口に送り込まれるので、刈り取られた作物がフィーダの入口で詰まる可能性がある。そこで、刈り取られた作物がフィーダの入口で詰まりそうになると、運転者はコンバインの走行速度を落として、フィーダの入口に送り込まれる作物量を減少させる必要がある。そのため、普通型コンバインを運転する運転者はフィーダの入口付近に常に注意を払う必要がある。
本構成によれば、照明装置がフィーダの入口を照らすため、刈り取られた作物が滞りなくフィーダに送り込まれているかを確認し易く、作物がフィーダの入口で詰まりそうになったときのコンバインの減速操作を的確に実施することができる。
さらに、キャビンの天井部の前部又はキャノピーの前部の真下付近に、フィーダの入口が位置することになるので、キャビンの天井部の前部又はキャノピーの前部に照明装置を設けることによって、照明装置により真下を照らすようになって、フィーダ入口付近に影が生じ難くて確認し易い。また少なくとも刈取部の掻き込みリールよりも高い位置から光が照射されるため、フィーダの入口付近だけでなく刈取部の全体に光が照射され易い。
以上より、本構成によれば、夜間における普通型コンバインの刈取作業の効率化を図ることができる。
【０００８】
本発明に係る第２特徴構成は、前記照明装置が、前記フィーダ側のデバイダを照らすように構成してある点にある。
【０００９】
〔作用及び効果〕
普通型コンバインでは、運転部が既刈側に位置し、フィーダが未刈側に位置するように圃場の一辺に沿って走行しながら刈り取りを行うことがある。この状態において、本構成によれば、照明装置がフィーダ側のデバイダを照らすため、圃場の未刈側の作物とフィーダ側のデバイダとの位置関係を把握し易い。また機体の旋回時において、フィーダ側のデバイダと障害物との接触を回避し易くなる。
【００１０】
本発明に係る第３特徴構成は、前記照明装置が、前記運転部側のデバイダを照らすように構成してある点にある。
【００１１】
〔作用及び効果〕
前述のように圃場の一辺に沿って走行しながら刈り取りを行う場合、圃場の未刈側作物と既刈地との境界に、運転部側のデバイダが沿って行くように、運転者は機体の運転を行うことがある。この状態において、本構成によれば、照明装置が運転部側のデバイダを照らすため、圃場の未刈側の作物と既刈地との境界と、運転部側のデバイダとの位置関係を把握し易い。また機体の旋回時において、運転部側のデバイダと障害物との接触を回避し易くなる。
【００１２】
本発明に係る第４特徴構成は、前記照明装置が、前記リールの前方を照らすように構成してある点にある。
【００１３】
〔作用及び効果〕
本構成によれば、照明装置が、掻き込みリールの前方を照らすため、夜間の前方視界性がさらに良くなる。尚、キャビン又はキャノピーは通常、掻き込みリールよりも高い位置にあるので、掻き込みリールを越えて前方を照らすことも容易である。
【００１４】
本発明に係る第５特徴構成は、前記照明装置が、前記刈取部における運転部側の横外側を照らすように構成してある点にある。
【００１５】
〔作用及び効果〕
本構成によれば、刈取部における運転部側のデバイダの横外側の視界性が良くなるので、例えば、圃場の端部から刈取作業を実施する際に、圃場を区画する畦等を確認し易い。そのため、畦等をコンバインのクローラ走行装置等で踏み壊すことなく、刈取作業を実施することができる。
【００１６】
本発明に係る第６特徴構成は、前記照明装置が、機体の右側及び左側を照らすように構成してある点にある。
【００１７】
〔作用及び効果〕
本構成によれば、機体の右側方と左側方の視界性がさらに良くなるため、圃場を区画する畦等をより一層確認し易くなる。
【００１８】
本発明に係る第７特徴構成は、前記照明装置が複数の作業灯を備えて構成される点にある。
【００１９】
〔作用及び効果〕
本構成によれば、複数の作業灯でフィーダの入口付近を照らすことができるので、フィーダの入口付近がより明るく照らされて視認性が良くなる。
【００２０】
本発明に係る第８特徴構成は、
機体の全周囲を照射する周囲照明装置を、前記キャビンの天井部の上部又は前記キャノピーの上部に備えてある点にある。
【００２１】
〔作用及び効果〕
本構成によれば、周囲照明装置によって機体の全周囲が照らされて機体の全方位の視界性が良くなるため、夜間における機体の前進、後進、右折、左折等の運転操作を実施し易くなる。
【００２２】
本発明に係る第９特徴構成は、前記周囲照明装置が、機体の後方に紫外線を照射し、機体の後方以外の方向に可視光線を照らすように構成してある点にある。
【００２３】
〔作用及び効果〕
本構成は、昆虫が可視光線よりも紫外線に集まり易いという性質を利用するものである。
本構成によれば、夜間運転中に照明装置及び周囲照明装置からの光でコンバインに集まってくる昆虫を、機体の後方に誘引することができるので、機体の前方と左右両側方の視界性がさらに良くなると共に、作業の邪魔となる運転部への昆虫飛来を抑えられる。
【図面の簡単な説明】
【００２４】
【図１】第１実施形態に係る普通型のコンバインの全体右側面図である。
【図２】第１実施形態に係るコンバインの全体平面図である。
【図３】第１実施形態における照明装置の照射範囲を示す平面図である。
【図４】第２実施形態における照明装置の照射範囲を示す平面図である。
【図５】第３実施形態における照明装置の照射範囲を示す平面図である。
【図６】第４実施形態における照明装置の照射範囲を示す平面図である。
【図７】第５実施形態における照明装置の照射範囲を示す平面図である。
【図８】第６実施形態における照明装置の照射範囲を示す平面図である。
【図９】第７実施形態における照明装置の照射範囲を示す平面図である。
【図１０】第８実施形態における照明装置の照射範囲を示す平面図である。
【図１１】第８実施形態における照明装置の照射範囲を示す平面図である。
【図１２】第９実施形態における照明装置の照射範囲を示す平面図である。
【図１３】別実施形態における照明装置の照射範囲を示す平面図である。
【図１４】別実施形態における照明装置の照射範囲を示す平面図である。
【図１５】別実施形態における照明装置の照射範囲を示す平面図である。
【図１６】別実施形態における照明装置の照射範囲を示す平面図である。
【図１７】別実施形態に係る普通型のコンバインの全体右側面図である。
【発明を実施するための形態】
【００２５】
〔第１実施形態〕
以下に、本発明の第１実施形態を図１〜図３に基づいて説明する。
（コンバインの構成）
図１及び図２に基づいて、本発明に係る照明装置を備えた普通型コンバインの全体構成について説明する。
【００２６】
図１及び図２に示すように、左右一対のクローラ走行装置１を備えた機体２の上部に、普通型（全稈投入型）の脱穀装置３、脱穀装置３から供給される穀粒を貯留するグレンタンク１７、及び運転部５等が配備されている。機体２の前部の右横側（フィーダ６の右横側）に運転部５が配設されており、機体２の後部で運転部５の後側にグレンタンク１７が配設されている。機体２の後部でグレンタンク１７の左側に脱穀装置３がグレンタンク１７と左右に並べて配備されている。尚、図示しないが、機体２の前部の左横側に運転部５を配設して、機体２の前部の右横側にフィーダ６を配設する構成としても良い。
【００２７】
グレンタンク１７の後部には、このグレンタンク１７から機外に穀粒を排出する穀粒排出装置としてのアンローダ１８が装備されている。
【００２８】
アンローダ１８は、グレンタンク１７の底に配設された底スクリュー３１の後端に連通接続されスクリュー式の縦搬送機構１８ａと、この縦搬送機構１８ａの上端に連通接続されて昇降自在なスクリュー式の横搬送機構１８ｂとから構成されている。このアンローダ１８が全体的に、旋回モータ（図示せず）の作動によって縦搬送機構１８ａのスクリュー軸心である縦軸心Ｐを中心にして旋回可能となっており、縦搬送機構１８ａに対して横搬送機構１８ｂが昇降可能に構成されている。
【００２９】
図２の実線部分に示すように、不使用時におけるアンローダ１８は、グレンタンク１７の後部（機体２の後部右側部）から機体２の前部左側部に向かって、平面視で対角状に配設されるように受け台３５に固定されている（格納位置Ｐ１）。図２の矢印に示すように、アンローダ１８は、格納位置Ｐ１から機体２の後方を旋回して、グレンタンク１７の略真横の方向である右限界位置Ｐ２まで旋回可能である。アンローダ１８は格納位置Ｐ１から機体２の前方には旋回せず、また右限界位置Ｐ２から機体２の前方にも旋回しない（格納位置Ｐ１と右限界位置Ｐ２とに亘る旋回範囲Ｐ１２においてのみ、アンローダ１８は旋回可能となっている）。
【００３０】
脱穀装置３の前部には、刈取り穀稈搬送用のフィーダ６が連結されており、このフィーダ６の前端に略機体横幅に相当する刈幅を有する刈取部７が連結されている。
【００３１】
刈取部７は、フィーダ６を介して機体２の前部に支持される。刈取部７は、右及び左のデバイダ３３ａ，３３ｂと、作物を後方に掻き込んで引き上げる掻き込みリール１６（リールに相当）と、左右一対の分草フレーム１１に亘って設けられたバリカン型の刈取装置１２と、左右一対の分草フレーム１１に亘って架設されたオーガ１３と、を備えて構成されている。
【００３２】
オーガ１３は、刈取装置１２によって刈取った作物を左右側部から左右中央側（フィーダ６の入口６ａ）に寄せ集める左右スパイラ１３ａ，１３ｂと、作物を後方のフィーダ６の入口６ａに送り込む掻込フィンガー１３ｃとをドラム１３ｄの外周に備えて構成されている。
【００３３】
刈取装置１２によってその株元が切断されて刈り取られた作物は、オーガ１３の左右スパイラ１３ａ，１３ｂにより横送りされてフィーダ６の入口６ａ付近に寄せ集められる。寄せ集められた作物は、ドラム１３ｄの回転に伴ってドラム１３ｄの外周面に対してその先端が進退する掻込フィンガー１３ｃによってフィーダ６の入口６ａに送り込まれ、フィーダ６を介して脱穀装置３に搬送される。
【００３４】
フィーダ６には、巻回張設された左右のチェーン１４ａに亘って搬送バー１４ｂを横架連結した掻き揚げコンベア１４が内装されており、オーガ１３から供給された作物をフィーダ６の底面に沿って搬送して、脱穀装置３に供給できるように構成されている。脱穀装置３により脱穀された穀粒は、脱穀装置３とグレンタンク１７とに亘って設けられた穀粒搬送機構（図示せず）を介して、グレンタンク１７に供給されるように構成されている。
【００３５】
グレンタンク１７の中に貯留された穀粒は、底スクリュー３１によって縦搬送機構１８ａに搬出され、続いて縦搬送機構１８ａから横搬送機構１８ｂに揚送された後、横搬送機構１８ｂによって横搬送されて吐出口１８ｃから排出される。
【００３６】
運転部５は、グレンタンク１７の上面よりも上方に突出するキャノピー２８を備え、キャノピー２８は運転席５ａの後部に立設する支柱２９によって支持されている。
【００３７】
第１実施形態においては、照明装置４０として、２つの作業灯４０ａ,４０ｂのそれぞれがキャノピー２８の前部の右端及び左端に配置されてキャノピー２８から突出しない位置に設けられる。
【００３８】
（照明装置の照射範囲）
図３に示すように、右の作業灯４０ａは照射範囲Ａ１を照射するのであり、掻き込みリール１６の前方を含む、掻き込みリール１６の左先端から右のデバイダ３３ａの右横側方までの範囲を照らす。
左の作業灯４０ｂは照射範囲Ａ２を照射するのであり、掻き込みリール１６の前方とフィーダ６の入口６ａとを含む、掻き込みリール１６の右先端から左のデバイダ３３ｂの左横側方までの範囲を照らす。
【００３９】
右の作業灯４０ａの照射範囲Ａ１の水平方向の開き角度は、左の作業灯４０ｂの照射範囲Ａ２の水平方向の開き角度と略同じであり、照射範囲Ａ１の一部と照射範囲Ａ２の一部とが互いに重なり合うことによって、オーガ１３から掻き込みリール１６の前方に向かってクロスライティング領域が形成される。
【００４０】
普通型コンバインでは、幅広の刈取部７で刈り取られた作物が、オーガ１３より集められてフィーダ６の入口６ａに送り込まれるので、刈り取られた作物がフィーダ６の入口６ａで詰まる可能性がある。そこで、刈り取られた作物がフィーダ６の入口６ａで詰まりそうになると、運転者はコンバインの走行速度を落として、フィーダ６の入口６ａに送り込まれる作物量を減少させる必要がある。そのため、普通型コンバインを運転する運転者はフィーダ６の入口６ａ付近に常に注意を払う必要がある。
【００４１】
上記構成によれば、左の作業灯４０ｂがフィーダ６の入口６ａを照らすため、刈り取られた作物が滞りなくフィーダ６に送り込まれているかを確認し易く、作物がフィーダ６の入口６ａで詰まりそうになったときのコンバインの減速操作を的確に実施することができる。
【００４２】
キャノピー２８の前部の真下付近に、フィーダ６の入口６ａが位置することになるので、キャノピー２８の前部に作業灯４０ａ，４０ｂを設けることによって、作業灯４０ａ，４０ｂにより真下を照らすようになって、フィーダ６の入口６ａ付近に影が生じ難くて確認し易い。また少なくとも刈取部７の掻き込みリール１６よりも高い位置から光が照射されるため、フィーダ６の入口６ａ付近だけでなく刈取部７の全体に光が照射され易く、掻き込みリール１６を越えて前方を照らすことも容易である。
【００４３】
右の作業灯４０ａが運転部５側の右のデバイダ３３ａとその付近を照らすと共に、左の作業灯４０ｂがフィーダ６側の左のデバイダ３３ｂとその付近を照らすため、夜間の右及び左の側方視界性が良い。
【００４４】
また普通型コンバインでは、運転部５が既刈側に位置し、フィーダ６が未刈側に位置するように圃場の一辺に沿って走行しながら刈り取りを行うことがある。この状態において、左の作業灯４０ｂがフィーダ６側の左のデバイダ３３ｂとその付近を照らすため、圃場の未刈側の作物とフィーダ６側のデバイダ３３ｂとの位置関係を把握し易い。
【００４５】
前述のように、圃場の一辺に沿って走行しながら刈り取りを行う場合、圃場の未刈側作物と既刈地との境界に、運転部５側のデバイダ３３ａが沿って行くように、運転者は機体の運転を行うことがある。この状態において、右の作業灯４０ａが運転部５側の右のデバイダ３３ａとその付近を照らすため、圃場の未刈側の作物と既刈地との境界と、運転部側のデバイダ３３ａとの位置関係を把握し易い。また機体２の右及び左の旋回時において、右及び左のデバイダ３３ａ，３３ｂと障害物との接触を回避し易くなる。
【００４６】
刈取部７における運転部５側の右のデバイダ３３ａの横外側の視界性が良くなるので、例えば、圃場の端部から刈取作業を実施する際に、圃場を区画する畦等を確認し易い。そのため、畦等をコンバインのクローラ走行装置１等で踏み壊すことなく、刈取作業を実施することができる。
【００４７】
右の作業灯４０ａと左の作業灯４０ｂとのクロスライティングによって、掻き込みリール１６の先端付近から前方がより明るく照らされるため、夜間の前方視界性も良い。尚、クロスライティング領域は、運転席５ａに着座した運転手の目線の前方付近の領域を含むものである。
【００４８】
以下、本発明の第２〜第９実施形態について説明するが、重複説明を避けるため、先の実施形態で説明した構成部品については、同じ符号を付すことにより説明を省略し、先の第１実施形態とは異なる構成と照明装置４０の照射範囲について説明する。
【００４９】
〔第２実施形態〕
図４に示すように、右の作業灯４０ａは照射範囲Ｂ１を照射するのであり、刈取部７のほぼ全域と、掻き込みリール１６の前方とを含む範囲を照らす。左の作業灯４０ｂは照射範囲Ｂ２を照射するのであり、掻き込みリール１６の前方とフィーダ６の入口６ａとを含む、掻き込みリール１６の右先端から左のデバイダ３３ｂの左横側方までの範囲を照らす。
【００５０】
照射範囲Ｂ１の一部と照射範囲Ｂ２の一部とが互いに重なり合うことによって、刈取部７の約８０％の領域でクロスライティング領域が形成される。
【００５１】
上記構成によれば、クロスライティング領域が上記第１実施形態よりも広く、右の作業灯４０ａ及び左の作業灯４０ｂによって、フィーダ６の入口６ａが上記第１実施形態の場合よりも明るく照らされており、刈り取られた作物が滞りなくフィーダ６に送り込まれているかをより一層確認し易く、作物がフィーダ６の入口６ａで詰まりそうになったときのコンバインの減速操作を的確に実施することができる。
【００５２】
キャノピー２８の前部の真下付近に、フィーダ６の入口６ａが位置することになるので、キャノピー２８の前部に作業灯４０ａ，４０ｂを設けることによって、作業灯４０ａ，４０ｂにより真下を照らすようになって、フィーダ６の入口６ａ付近に影が生じ難くて確認し易い。また少なくとも刈取部７の掻き込みリール１６よりも高い位置から光が照射されるため、フィーダ６の入口６ａ付近だけでなく刈取部７の全体に光が照射され易く、掻き込みリール１６を越えて前方を照らすことも容易である。
【００５３】
右の作業灯４０ａが運転部５側の右のデバイダ３３ａとその付近を照らすと共に、右の作業灯４０ａ及び左の作業灯４０ｂがフィーダ６側の左のデバイダ３３ｂとその付近を照らすため、夜間の右及び左の側方視界性が良い。
【００５４】
また普通型コンバインでは、運転部５が既刈側に位置し、フィーダ６が未刈側に位置するように圃場の一辺に沿って走行しながら刈り取りを行うことがある。この状態において、右の作業灯４０ａ及び左の作業灯４０ｂがフィーダ６側の左のデバイダ３３ｂとその付近を照らすため、圃場の未刈側の作物とフィーダ６側のデバイダ３３ｂとの位置関係を把握し易い。
【００５５】
前述のように、圃場の一辺に沿って走行しながら刈り取りを行う場合、圃場の未刈側作物と既刈地との境界に、運転部５側のデバイダ３３ａが沿って行くように、運転者は機体の運転を行うことがある。この状態において、右の作業灯４０ａが運転部５側の右のデバイダ３３ａとその付近を照らすため、圃場の未刈側の作物と既刈地との境界と、運転部側のデバイダ３３ａとの位置関係を把握し易い。また機体２の右及び左の旋回時において、右及び左のデバイダ３３ａ，３３ｂと障害物との接触を回避し易くなる。
【００５６】
刈取部７における運転部５側の右のデバイダ３３ａの横外側の視界性が良くなるので、例えば、圃場の端部から刈取作業を実施する際に、圃場を区画する畦等を確認し易い。そのため、畦等をコンバインのクローラ走行装置１等で踏み壊すことなく、刈取作業を実施することができる。
【００５７】
右の作業灯４０ａと左の作業灯４０ｂとのクロスライティングによって、掻き込みリール１６の先端付近から前方がより明るく照らされるため、夜間の前方視界性も良い。尚、クロスライティング領域は、運転席３６に着座した運転手の目線の前方付近の領域を含むものである。
【００５８】
〔第３実施形態〕
図５に示すように、右の作業灯４０ａは照射範囲Ｃ１を照射するのであり、掻き込みリール１６の前方とフィーダ６の入口６ａとを含む、右のデバイダ３３ａ付近から左のデバイダ３３ｂの左横側方までの範囲を照らす。
左の作業灯４０ｂは照射範囲Ｃ２を照射するのであり、掻き込みリール１６の前方とフィーダ６の入口６ａとを含む、左のデバイダ３３ｂ付近から右のデバイダ３３ａの右横側方までの範囲を照らす。
【００５９】
照射範囲Ｃ１の一部と照射範囲Ｃ２の一部とが互いに重なり合うことによって、刈取部７のほぼ全域でクロスライティング領域が形成される。
【００６０】
上記構成によれば、クロスライティング領域が上記第２実施形態よりも広く、右の作業灯４０ａ及び左の作業灯４０ｂによって、フィーダ６の入口６ａが上記第２実施形態の場合よりも明るく照らされており、刈り取られた作物が滞りなくフィーダ６に送り込まれているかをより一層確認し易く、作物がフィーダ６の入口６ａで詰まりそうになったときのコンバインの減速操作をより的確に実施することができる。
【００６１】
キャノピー２８の前部の真下付近に、フィーダ６の入口６ａが位置することになるので、キャノピー２８の前部に作業灯４０ａ，４０ｂを設けることによって、作業灯４０ａ，４０ｂにより真下を照らすようになって、フィーダ６の入口６ａ付近に影が生じ難くて確認し易い。また少なくとも刈取部７の掻き込みリール１６よりも高い位置から光が照射されるため、フィーダ６の入口６ａ付近だけでなく刈取部７の全体に光が照射され易く、掻き込みリール１６を越えて前方を照らすことも容易である。
【００６２】
右の作業灯４０ａ及び左の作業灯４０ｂが運転部５側の右のデバイダ３３ａとその付近を照らすと共に、右の作業灯４０ａ及び左の作業灯４０ｂがフィーダ側の左のデバイダ３３ｂとその付近を照らすため、夜間の右及び左の側方視界性が良い。
【００６３】
また普通型コンバインでは、運転部５が既刈側に位置し、フィーダ６が未刈側に位置するように圃場の一辺に沿って走行しながら刈り取りを行うことがある。この状態において、右の作業灯４０ａ及び左の作業灯４０ｂがフィーダ６側の左のデバイダ３３ｂとその付近を照らすため、圃場の未刈側の作物とフィーダ６側のデバイダ３３ｂとの位置関係を把握し易い。
【００６４】
前述のように、圃場の一辺に沿って走行しながら刈り取りを行う場合、圃場の未刈側作物と既刈地との境界に、運転部５側のデバイダ３３ａが沿って行くように、運転者は機体の運転を行うことがある。この状態において、右の作業灯４０ａ及び左の作業灯４０ｂが運転部５側の右のデバイダ３３ａとその付近を照らすため、圃場の未刈側の作物と既刈地との境界と、運転部側のデバイダ３３ａとの位置関係を把握し易い。また機体２の右及び左の旋回時において、右及び左のデバイダ３３ａ，３３ｂと障害物との接触を回避し易くなる。
【００６５】
刈取部７における運転部５側の右のデバイダ３３ａの横外側の視界性が良くなるので、例えば、圃場の端部から刈取作業を実施する際に、圃場を区画する畦等を確認し易い。そのため、畦等をコンバインのクローラ走行装置１等で踏み壊すことなく、刈取作業を実施することができる。
【００６６】
右の作業灯４０ａと左の作業灯４０ｂとのクロスライティングによって、掻き込みリール１６の先端付近から前方がより明るく照らされるため、夜間の前方視界性も良い。尚、クロスライティング領域は、運転席５ａに着座した運転手の目線の前方付近の領域を含むものである。
【００６７】
〔第４実施形態〕
図６に示すように、第４実施形態においては、照明装置４０として３つの作業灯４０ａ,４０ｃ,４０ｂのそれぞれがキャノピー２８の前部の右端、中央、左端に配置されてキャノピー２８から突出しない位置に設けられる。
【００６８】
右の作業灯４０ａは照射範囲Ｄ１を照射するのであり、右のデバイダ３３ａとその右横側方を含む範囲を照らす。中央の作業灯４０ｃは照射範囲Ｄ２を照射するのであり、掻き込みリール１６の前方を含む掻き込みリール１６の左先端から右のデバイダ３３ａまでの範囲を照らす。左の作業灯４０ｂは照射範囲Ｄ３を照射するのであり、掻き込みリール１６の前方、フィーダ６の入口６ａ、左のデバイダ３３ｂ、及び左のデバイダ３３ｂの左横側方を含む範囲を照らす。
【００６９】
照射範囲Ｄ２の一部が、照射範囲Ｄ１の一部と照射範囲Ｄ３の一部とそれぞれ互いに重なり合うことによって、オーガ１３から右のデバイダ３３ａの前方に向かう右側クロスライティング領域と、オーガ１３から掻き込みリール１６の左前方に向かう左側クロスライティング領域とが形成される。
【００７０】
上記構成によれば、左の作業灯４０ｂ及び中央の作業灯４０ｃによって、フィーダ６の入口６ａが明るく照らされており、刈り取られた作物が滞りなくフィーダ６に送り込まれているかを確認し易く、作物がフィーダ６の入口６ａで詰まりそうになったときのコンバインの減速操作を的確に実施することができる。
【００７１】
キャノピー２８の前部の真下付近に、フィーダ６の入口６ａが位置することになるので、キャノピー２８の前部に作業灯４０ａ〜ｃを設けることによって、作業灯４０ａ〜ｃにより真下を照らすようになって、フィーダ６の入口６ａ付近に影が生じ難くて確認し易い。また少なくとも刈取部７の掻き込みリール１６よりも高い位置から光が照射されるため、フィーダ６の入口６ａ付近だけでなく刈取部７の全体に光が照射され易く、掻き込みリール１６を越えて前方を照らすことも容易である。
【００７２】
右の作業灯４０ａと中央の作業灯４０ｃが運転部５側の右のデバイダ３３ａとその付近を照らすと共に、左の作業灯４０ｂと中央の作業灯４０ｃがフィーダ側の左のデバイダ３３ｂとその付近を照らすため、夜間の右及び左の側方視界性が良い。
【００７３】
また普通型コンバインでは、運転部５が既刈側に位置し、フィーダ６が未刈側に位置するように圃場の一辺に沿って走行しながら刈り取りを行うことがある。この状態において、左の作業灯４０ｂと中央の作業灯４０ｃがフィーダ６側の左のデバイダ３３ｂとその付近を照らすため、圃場の未刈側の作物とフィーダ６側のデバイダ３３ｂとの位置関係を把握し易い。
【００７４】
前述のように、圃場の一辺に沿って走行しながら刈り取りを行う場合、圃場の未刈側作物と既刈地との境界に、運転部５側のデバイダ３３ａが沿って行くように、運転者は機体の運転を行うことがある。この状態において、右の作業灯４０ａと中央の作業灯４０ｃが運転部５側の右のデバイダ３３ａとその付近を照らすため、圃場の未刈側の作物と既刈地との境界と、運転部側のデバイダ３３ａとの位置関係を把握し易い。また機体２の右及び左の旋回時において、右及び左のデバイダ３３ａ，３３ｂと障害物との接触を回避し易くなる。
【００７５】
刈取部７における運転部５側の右のデバイダ３３ａの横外側の視界性が良くなるので、例えば、圃場の端部から刈取作業を実施する際に、圃場を区画する畦等を確認し易い。そのため、畦等をコンバインのクローラ走行装置１等で踏み壊すことなく、刈取作業を実施することができる。
【００７６】
右の作業灯４０ａと中央の作業灯４０ｃとのクロスライティング、及び左の作業灯４０ｂと中央の作業灯４０ｃとのクロスライティングによって、掻き込みリール１６の左前方と右のデバイダ３３ａの前方とがより明るく照らされるため、夜間の前方視界性も良い。
【００７７】
〔第５実施形態〕
図７に示すように、第５実施形態においては、照明装置４０として、作業灯４０ａ,４０ｂがキャノピー２８の前部の右端に横方向に並べて配置され、作業灯４０ｃ,４０ｄがキャノピー２８の前部の左端に横方向に並べて配置される。これらの作業灯４０ａ〜ｄは、キャノピー２８から突出しない位置に設けられる。
【００７８】
右の作業灯４０ａは照射範囲Ｅ１を照射するのであり、右のデバイダ３３ａの右横側方を含む範囲を照らす。
右の作業灯４０ｂは照射範囲Ｅ２を照射するのであり、掻き込みリール１６の前方、右のデバイダ３３ａ、及び右のデバイダ３３ａの右横側方を含む範囲を照らす。
左の作業灯４０ｃは照射範囲Ｅ３を照射するのであり、掻き込みリール１６の前方を含む、右のデバイダ３３ａから左のデバイダ３３ｂまでの範囲を照らす。
左の作業灯４０ｄは照射範囲Ｅ４を照射するのであり、フィーダ６の入口６ａ、左のデバイダ３３ｂ、及び左のデバイダ３３ｂの左横側方を含む範囲を照らす。
右の作業灯４０ｂと左の作業灯４０ｃによって刈取部７の先端付近が集中的に照射されると共に、右の作業灯４０ａ及び左の作業灯４０ｄのそれぞれによって、運転者の右手前及び左手前が集中的に照射される。
【００７９】
照射範囲Ｅ２の一部と照射範囲Ｅ３の一部とが互いに重なり合うことによって、オーガ１３から掻き込みリール１６の右前方に向かう中央クロスライティング領域が形成される。
照射範囲Ｅ１の一部と照射範囲Ｅ２の一部とが互いに重なり合うことによって、オーガ１３の右端付近から右のデバイダ３３ａの右横側方に向かう右側クロスライティング領域が形成される。
照射範囲Ｅ３の一部と照射範囲Ｅ４の一部とが互いに重なり合うことによって、オーガ１３から左のデバイダ３３ｂの前方に向かう左側クロスライティング領域が形成される。
【００８０】
上記構成によれば、左の作業灯４０ｃ，４０ｄによって、フィーダ６の入口６ａが明るく照らされており、刈り取られた作物が滞りなくフィーダ６に送り込まれているかを確認し易く、作物がフィーダ６の入口６ａで詰まりそうになったときのコンバインの減速操作を的確に実施することができる。
【００８１】
キャノピー２８の前部の真下付近に、フィーダ６の入口６ａが位置することになるので、キャノピー２８の前部に作業灯４０ａ〜ｄを設けることによって、作業灯４０ａ〜ｄにより真下を照らすようになって、フィーダ６の入口６ａ付近に影が生じ難くて確認し易い。また少なくとも刈取部７の掻き込みリール１６よりも高い位置から光が照射されるため、フィーダ６の入口６ａ付近だけでなく刈取部７の全体に光が照射され易く、掻き込みリール１６を越えて前方を照らすことも容易である。
【００８２】
右の作業灯４０ａ,４０ｂが運転部５側の右のデバイダ３３ａとその付近を照らすと共に、左の作業灯４０ｃ,４０ｄがフィーダ６側の左のデバイダ３３ｂとその付近を照らすため、夜間の右及び左の側方視界性が良い。
【００８３】
また普通型コンバインでは、運転部５が既刈側に位置し、フィーダ６が未刈側に位置するように圃場の一辺に沿って走行しながら刈り取りを行うことがある。この状態において、左の作業灯４０ｃ，４０ｄがフィーダ６側の左のデバイダ３３ｂとその付近を照らすため、圃場の未刈側の作物とフィーダ６側のデバイダ３３ｂとの位置関係を把握し易い。
【００８４】
前述のように、圃場の一辺に沿って走行しながら刈り取りを行う場合、圃場の未刈側作物と既刈地との境界に、運転部５側のデバイダ３３ａが沿って行くように、運転者は機体の運転を行うことがある。この状態において、右の作業灯４０ａ，４０ｂが運転部５側の右のデバイダ３３ａとその付近を照らすため、圃場の未刈側の作物と既刈地との境界と、運転部側のデバイダ３３ａとの位置関係を把握し易い。また機体２の右及び左の旋回時において、右及び左のデバイダ３３ａ，３３ｂと障害物との接触を回避し易くなる。
【００８５】
刈取部７における運転部５側の右のデバイダ３３ａの横外側の視界性が良くなるので、例えば、圃場の端部から刈取作業を実施する際に、圃場を区画する畦等を確認し易い。そのため、畦等をコンバインのクローラ走行装置１等で踏み壊すことなく、刈取作業を実施することができる。
【００８６】
右の作業灯４０ａ,４０ｂのクロスライティング、右の作業灯４０ｂと左の作業灯４０ｃとのクロスライティング、及び左の作業灯４０ｃ,４０ｄのクロスライティングによって、左のデバイダ３３ｂの前方と、掻き込みリール１６の右前方と、右のデバイダ３３ａの右横側方とがより明るく照らされるため、夜間の前方視界性も良い。
【００８７】
〔第６実施形態〕
図８に示すように、第６実施形態においては、照明装置４０として、作業灯４０ａ,４０ｂがキャノピー２８の前部の右端に横方向に並べて配置され、作業灯４０ｃ,４０ｄがキャノピー２８の前部の左端に横方向に並べて配置される。これらの作業灯４０ａ〜ｄは、キャノピー２８から突出しない位置に設けられる。
【００８８】
また左のデバイダ３３ｂの上方に、縦刈取装置３４が備えられている。図１７に示すように、縦刈取装置３４は、バリカン型の刈取装置１２を上下向きにしたような形状をして、左のデバイダ３３ｂの上方に配置されており、地上の茎や葉等が互いに絡み易い作物を上下方向に切断して分離して刈取り易くするものである。
【００８９】
右の作業灯４０ａは照射範囲Ｆ１を照射するのであり、掻き込みリール１６の前方、右のデバイダ３３ａ、及び右のデバイダ３３ａの右横側方を含む範囲を照らす。
右の作業灯４０ｂは照射範囲Ｆ２を照射するのであり、右のデバイダ３３ａ及び右のデバイダ３３ａの右横側方を含む範囲を照らす。
左の作業灯４０ｃは照射範囲Ｆ３を照射するのであり、フィーダ６の入口６ａ、左のデバイダ３３ｂ、縦刈取装置３４、及び左のデバイダ３３ｂの左横側方を含む範囲を照らす。
左の作業灯４０ｄは照射範囲Ｆ４を照射するのであり、掻き込みリール１６の前方を含む、右のデバイダ３３ａから左のデバイダ３３ｂまでの範囲を照らす。
右の作業灯４０ａ，４０ｂと左の作業灯４０ｄによって刈取部７の右前部分が集中的に照射されると共に、左の作業灯４０ｃ,４０ｄによって、フィーダ６の入口６ａと縦刈取装置３４付近が集中的に照射される。
【００９０】
照射範囲Ｆ１の一部と照射範囲Ｆ４の一部とが互いに重なり合うことによって、オーガ１３から掻き込みリール１６の右前方に向かう中央クロスライティング領域が形成される。この中央クロスライティング領域には、照射範囲Ｆ１の一部と、照射範囲Ｆ４の一部と、照射範囲Ｆ２の一部とが互いに重なり合うことによって、特に右のデバイダ３３ａの前方を明るく照らす３重クロスライティング領域が形成される。
照射範囲Ｆ１の一部と照射範囲Ｆ２の一部とが互いに重なり合うことによって、キャノピー２８の右端から右のデバイダ３３ａの前方と右横側方に向かう右側クロスライティング領域が形成される。
照射範囲Ｆ３の一部と照射範囲Ｆ４の一部とが互いに重なり合うことによって、キャノピー２８の左端から左のデバイダ３３ｂの左横側方に向かう左側クロスライティング領域が形成される。
【００９１】
上記構成によれば、左の作業灯４０ｃ,４０ｄによって、フィーダ６の入口６ａが明るく照らされており、刈り取られた作物が滞りなくフィーダ６に送り込まれているかを確認し易く、作物がフィーダ６の入口６ａで詰まりそうになったときのコンバインの減速操作を的確に実施することができる。また、左の作業灯４０ｃ,４０ｄによって、左のデバイダ３３ｂの縦刈取装置３４が明るく照らされるため、その作動状態を確認し易い。
【００９２】
キャノピー２８の前部の真下付近に、フィーダ６の入口６ａが位置することになるので、キャノピー２８の前部に作業灯４０ａ〜ｄを設けることによって、作業灯４０ａ〜ｄにより真下を照らすようになって、フィーダ６の入口６ａ付近に影が生じ難くて確認し易い。また少なくとも刈取部７の掻き込みリール１６よりも高い位置から光が照射されるため、フィーダ６の入口６ａ付近だけでなく刈取部７の全体に光が照射され易く、掻き込みリール１６を越えて前方を照らすことも容易である。
【００９３】
右の作業灯４０ａ,４０ｂと左の作業灯４０ｄが運転部５側の右のデバイダ３３ａとその付近を照らすと共に、左の作業灯４０ｃ,４０ｄがフィーダ側の左のデバイダ３３ｂとその付近を照らすため、夜間の右及び左の側方視界性が良い。
【００９４】
また普通型コンバインでは、運転部５が既刈側に位置し、フィーダ６が未刈側に位置するように圃場の一辺に沿って走行しながら刈り取りを行うことがある。この状態において、左の作業灯４０ｃ，４０ｄがフィーダ６側の左のデバイダ３３ｂとその付近を照らすため、圃場の未刈側の作物とフィーダ６側のデバイダ３３ｂとの位置関係を把握し易い。
【００９５】
前述のように、圃場の一辺に沿って走行しながら刈り取りを行う場合、圃場の未刈側作物と既刈地との境界に、運転部５側のデバイダ３３ａが沿って行くように、運転者は機体の運転を行うことがある。この状態において、右の作業灯４０ａ,４０ｂと左の作業灯４０ｄが運転部５側の右のデバイダ３３ａとその付近を照らすため、圃場の未刈側の作物と既刈地との境界と、運転部側のデバイダ３３ａとの位置関係を把握し易い。また機体２の右及び左の旋回時において、右及び左のデバイダ３３ａ，３３ｂと障害物との接触を回避し易くなる。
【００９６】
刈取部７における運転部５側の右のデバイダ３３ａの横外側の視界性が良くなるので、例えば、圃場の端部から刈取作業を実施する際に、圃場を区画する畦等を確認し易い。そのため、畦等をコンバインのクローラ走行装置１等で踏み壊すことなく、刈取作業を実施することができる。
【００９７】
右の作業灯４０ａと４０ｂとのクロスライティング、右の作業灯４０ａと左の作業灯４０ｄとのクロスライティング、左の作業灯４０ｃと４０ｄとのクロスライティング、及び右の作業灯４０ａと４０ｂと左の作業灯４０ｄとのクロスライティングによって、左のデバイダ３３ｂの前方と、掻き込みリール１６の右前方と、右のデバイダ３３ａの前方と、右のデバイダ３３ａの右横側方とがより明るく照らされるため、夜間の前方視界性も良い。
【００９８】
〔第７実施形態〕
図９に示すように、第７実施形態においては、照明装置４０として、作業灯４０ａ,４０ｂがキャノピー２８の前部の右端に横方向に並べて配置され、作業灯４０ｃ,４０ｄがキャノピー２８の前部の左端に横方向に並べて配置され、作業灯４０ｅがキャノピー２８の前部の中央に配置される。これらの作業灯４０ａ〜ｅは、キャノピー２８から突出しない位置に設けられる。また左のデバイダ３３ｂは、縦刈取装置３４を備える。
【００９９】
右の作業灯４０ａは照射範囲Ｇ１を照射するのであり、右のデバイダ３３ａの右横側方を含む範囲を照らす。
右の作業灯４０ｂは照射範囲Ｇ２を照射するのであり、掻き込みリール１６の前方、右のデバイダ３３ａ、及び右のデバイダ３３ａの右横側方を含む範囲を照らす。
左の作業灯４０ｃは照射範囲Ｇ３を照射するのであり、掻き込みリール１６の前方を含む、右のデバイダ３３ａから左のデバイダ３３ｂまでの範囲を照らす。
左の作業灯４０ｄは照射範囲Ｇ４を照射するのであり、フィーダ６の入口６ａ、左のデバイダ３３ｂ、及び左のデバイダ３３ｂの左横側方の縦刈取装置３４を含む範囲を照らす。
中央の作業灯４０ｅは照射範囲Ｇ５を照射するのであり、左側の一部分を除いて刈取部７の大部分を照らす。
右の作業灯４０ｂと左の作業灯４０ｃと中央の作業灯４０ｅによって刈取部７の先端付近が集中的に照射され、右の作業灯４０ａ，４０ｂと左の作業灯４０ｃと中央の作業灯４０ｅによって刈取部７の右前部分が集中的に照射され、左の作業灯４０ｃ,４０ｄによって、フィーダ６の入口６ａと縦刈取装置３４付近が集中的に照射される。
【０１００】
照射範囲Ｇ２の一部と照射範囲Ｇ３の一部とが互いに重なり合うことによって、オーガ１３から掻き込みリール１６の右前方に向かう中央クロスライティング領域が形成される。
照射範囲Ｇ１の一部と照射範囲Ｇ２の一部とが互いに重なり合うことによって、オーガ１３の右端付近から右のデバイダ３３ａの右横側方に向かう右側クロスライティング領域が形成される。
照射範囲Ｇ３の一部と照射範囲Ｇ４の一部とが互いに重なり合うことによって、オーガ１３から左のデバイダ３３ｂの前方に向かう左側クロスライティング領域が形成される。
照射範囲Ｇ５は、照射範囲Ｇ１〜Ｇ４のそれぞれの一部と重なり合っており、特に上記中央、右側、左側のクロスライティング領域において３重クロスライティング領域が形成される。
【０１０１】
上記構成によれば、左の作業灯４０ｃ，４０ｄによって、フィーダ６の入口６ａが明るく照らされており、刈り取られた作物が滞りなくフィーダ６に送り込まれているかを確認し易く、作物がフィーダ６の入口６ａで詰まりそうになったときのコンバインの減速操作を的確に実施することができる。
【０１０２】
キャノピー２８の前部の真下付近に、フィーダ６の入口６ａが位置することになるので、キャノピー２８の前部に作業灯４０ａ〜ｅを設けることによって、作業灯４０ａ〜ｅにより真下を照らすようになって、フィーダ６の入口６ａ付近に影が生じ難くて確認し易い。また少なくとも刈取部７の掻き込みリール１６よりも高い位置から光が照射されるため、フィーダ６の入口６ａ付近だけでなく刈取部７の全体に光が照射され易く、掻き込みリール１６を越えて前方を照らすことも容易である。
【０１０３】
右の作業灯４０ａ,４０ｂ,４０ｅが運転部５側の右のデバイダ３３ａとその付近を照らすと共に、左の作業灯４０ｃ,４０ｄ,４０ｅがフィーダ側の左のデバイダ３３ｂとその付近を照らすため、夜間の右及び左の側方視界性が良い。
【０１０４】
また普通型コンバインでは、運転部５が既刈側に位置し、フィーダ６が未刈側に位置するように圃場の一辺に沿って走行しながら刈り取りを行うことがある。この状態において、左の作業灯４０ｃ,４０ｄ,４０ｅがフィーダ６側の左のデバイダ３３ｂとその付近を照らすため、圃場の未刈側の作物とフィーダ６側のデバイダ３３ｂとの位置関係を把握し易い。
【０１０５】
前述のように、圃場の一辺に沿って走行しながら刈り取りを行う場合、圃場の未刈側作物と既刈地との境界に、運転部５側のデバイダ３３ａが沿って行くように、運転者は機体の運転を行うことがある。この状態において、右の作業灯４０ａ,４０ｂ,４０ｅが運転部５側の右のデバイダ３３ａとその付近を照らすため、圃場の未刈側の作物と既刈地との境界と、運転部側のデバイダ３３ａとの位置関係を把握し易い。また機体２の右及び左の旋回時において、右及び左のデバイダ３３ａ，３３ｂと障害物との接触を回避し易くなる。
【０１０６】
刈取部７における運転部５側の右のデバイダ３３ａの横外側の視界性が良くなるので、例えば、圃場の端部から刈取作業を実施する際に、圃場を区画する畦等を確認し易い。そのため、畦等をコンバインのクローラ走行装置１等で踏み壊すことなく、刈取作業を実施することができる。
【０１０７】
右の作業灯４０ａ,４０ｂと中央の作業灯４０ｅとのクロスライティング、右の作業灯４０ｂと左の作業灯４０ｃと中央の作業灯４０ｅとのクロスライティング、及び左の作業灯４０ｃ,４０ｄと中央の作業灯４０ｅとのクロスライティングによって、左のデバイダ３３ｂの前方と、掻き込みリール１６の右前方と、右のデバイダ３３ａの右横側方とがより明るく照らされるため、夜間の前方視界性も良い。
【０１０８】
〔第８実施形態〕
第８実施形態においては、照明装置４０として、２つの作業灯４０ａ,４０ｂがキャノピー２８の前部に横方向に並べて配置されてキャノピー２８から突出しない位置に設けられる。
図１０及び図１１に示すように、右の作業灯４０ａは照射範囲Ｈ１を照射するのであり、運転部５付近及び運転部５の右横側方（機体２の右側）を集中的に照らす。尚、図１０においては、運転部５の前方を集中的に照らす形態が示されており、図１１においては、運転部５の右横側方の少し後方から運転部５の右横側方の前方まで照らす形態が示されている。
左の作業灯４０ｂは照射範囲Ｈ２を照射するのであり、機体２の左側と、フィーダ６の入口６ａと、掻き込みリール１６の前方とを含む範囲を照らす。
【０１０９】
上記構成によれば、作業灯４０ｂによって、フィーダ６の入口６ａが明るく照らされており、刈り取られた作物が滞りなくフィーダ６に送り込まれているかを確認し易く、作物がフィーダ６の入口６ａで詰まりそうになったときのコンバインの減速操作を的確に実施することができる。
【０１１０】
キャノピー２８の前部の真下付近に、フィーダ６の入口６ａが位置することになるので、キャノピー２８の前部に作業灯４０ａ，４０ｂを設けることによって、作業灯４０ａ，４０ｂにより真下を照らすようになって、フィーダ６の入口６ａ付近に影が生じ難くて確認し易い。また少なくとも刈取部７の掻き込みリール１６よりも高い位置から光が照射されるため、フィーダ６の入口６ａ付近だけでなく刈取部７の全体に光が照射され易く、掻き込みリール１６を越えて前方を照らすことも容易である。
【０１１１】
右及び左の作業灯４０ａ，４０ｂによって運転部５の右及び左の側方が照らされるため、夜間の右及び左の側方視界性がさらに良くなり、圃場を区画する畦等をより一層確認し易くなる。
【０１１２】
左の作業灯４０ｂによって、掻き込みリール１６の前方が照らされるため、夜間の前方視界性も良い。
【０１１３】
〔第９実施形態〕
第９実施形態においては、照明装置４０として、２つの作業灯４０ａ,４０ｂがキャノピー２８の前部に横方向に並べて配置されてキャノピー２８から突出しない位置に設けられる。
図１２に示すように、右の作業灯４０ａは照射範囲Ｊ１を照射するのであり、運転部５の右横側方及び左横側方のやや後方から掻き込みリール１６の前方まで幅広く照らす。
左の作業灯４０ｂは照射範囲Ｊ２を照射するのであり、フィーダ６の入口６ａと掻き込みリール１６の前方とを含む範囲を照らす。
照射範囲Ｊ１は、平面視で照射範囲Ｊ２を含んでおり、照射範囲Ｊ２にクロスライティング領域が形成される。
【０１１４】
上記構成によれば、作業灯４０ｂによって、フィーダ６の入口６ａが明るく照らされており、刈り取られた作物が滞りなくフィーダ６に送り込まれているかを確認し易く、作物がフィーダ６の入口６ａで詰まりそうになったときのコンバインの減速操作を的確に実施することができる。
【０１１５】
キャノピー２８の前部の真下付近に、フィーダ６の入口６ａが位置することになるので、キャノピー２８の前部に作業灯４０ａ，４０ｂを設けることによって、作業灯４０ａ，４０ｂにより真下を照らすようになって、フィーダ６の入口６ａ付近に影が生じ難くて確認し易い。また少なくとも刈取部７の掻き込みリール１６よりも高い位置から光が照射されるため、フィーダ６の入口６ａ付近だけでなく刈取部７の全体に光が照射され易く、掻き込みリール１６を越えて前方を照らすことも容易である。
【０１１６】
右及び左の作業灯４０ａ，４０ｂによって運転部５の右及び左の側方（機体２の右側及び左側）が照らされるため、夜間の右及び左の側方視界性がさらに良くなり、圃場を区画する畦等をより一層確認し易くなる。
【０１１７】
左の作業灯４０ｂによって、掻き込みリール１６の前方が照らされるため、夜間の前方視界性も良い。
【０１１８】
〔別実施形態〕
（１）図１３〜１６に示すように、前述の第１〜９実施形態におけるキャノピー２８の上部、好ましくは上部中央に、機体２の全周囲を照射する周囲照明装置５０を備える構成としても良い。
【０１１９】
周囲照明装置５０としては、例えば、図１３に示すように上方に突出するドーム状のケーシング５１内に一つの光源５０ａを備えるもの、図１４に示すように上方に突出するドーム状のケーシング５１の内部を３等分又は４等分（図示せず）して各分画のそれぞれに一つずつ光源５０ａ〜５０ｃを設置したもの、あるいは、図１５に示すように上方に突出する台形の横断面を有するケーシング５１に、前方を照射する２つの光源５０ａ，５０ｂと、後方を照射する光源５０ｃとを設置したもの等が挙げられる。尚、図１５に示す構成においては、光源５０ａ，５０ｂ，５０ｃのそれぞれは、照射範囲Ｋ１，Ｋ２，Ｋ３を照射し、機体２の右側、左側、及び後方を照らす。照射範囲Ｋ１の一部と照射範囲Ｋ２の一部とが互いに重なり合うことによって、機体２の前方にクロスライティング領域が形成される。
【０１２０】
本構成によれば、周囲照明装置５０によって機体２の全周囲が照らされて機体２の全方位の視界性が良くなるため、夜間における機体２の前進、後進、右折、左折等の運転操作を実施し易くなる。
【０１２１】
また、図１４及び図１５に示す周囲照明装置５０において、可視光線を照射する光源５０ａ，５０ｂを前方側に設置して、紫外線を照射する光源５０ｃを後方側に設置する構成としたり、あるいは図１６に示すように、脱穀装置３の排藁の排出口３ａ近傍に紫外線を照射する光源６０を別途設置する等して、機体２の後方に紫外線を照射し、機体２の後方以外の方向に可視光線を照らすように構成しても良い。
【０１２２】
本構成は、昆虫が可視光線よりも紫外線に集まり易いという性質を利用するものである。
本構成によれば、夜間運転中に照明装置４０及び周囲照明装置５０からの光でコンバインに集まってくる昆虫を、機体２の後方に誘引することができるので、機体２の前方と左右両側方の視界性がさらに良くなると共に、作業の邪魔となる運転部５への昆虫飛来を抑えられる。
【０１２３】
（２）図１７に示すように、前述の実施形態における運転部５がキャビン５２を備え、照明装置４０をキャビン５２の天井部の前部に設け、図１３〜図１６に示す周囲照明装置５０をキャビン５２の天井部の上部、好ましくは上部中央に設ける構成としても良い。
【産業上の利用可能性】
【０１２４】
本発明は、普通型コンバインだけでなく自脱型コンバインにも適用可能であり、グレンタンクではなく穀粒回収ホッパーを備えるコンバインにも適用可能であり、これらのコンバインの夜間運転時の作業性をさらに向上させる場合に適している。
【符号の説明】
【０１２５】
２      機体
３      脱穀装置
５      運転部
６      フィーダ
６ａ    フィーダの入り口
７      刈取部
１２    刈取装置
１３    オーガ
１６    掻き込みリール
２８    キャノピー
３３ａ，３３ｂ    デバイダ
４０    照明装置
５０    周囲照明装置
【図１】
2011062120.tif 000003
【図２】
2011062120.tif 000004
【図３】
2011062120.tif 000005
【図４】
2011062120.tif 000006
【図５】
2011062120.tif 000007
【図６】
2011062120.tif 000008
【図７】
2011062120.tif 000009
【図８】
2011062120.tif 000010
【図９】
2011062120.tif 000011
【図１０】
2011062120.tif 000012
【図１１】
2011062120.tif 000013
【図１２】
2011062120.tif 000014
【図１３】
2011062120.tif 000015
【図１４】
2011062120.tif 000016
【図１５】
2011062120.tif 000017
【図１６】
2011062120.tif 000018
【図１７】
2011062120.tif 000019